(57)【要約】【課題】複雑な加工を行うことなく摩擦平均有効圧を低減させることができる内燃機関のシリンダ及びそのような内燃機関のシリンダの製造方法を提供する。【解決手段】内壁面を摺動するようにピストンが上下動する内燃機関のシリンダであって、前記内壁面は、前記内壁面の上端から前記ピストンが上死点における最下位のピストンリングのリング溝の下面位置までの間の領域である上方領域と、前記内壁面の前記ピストンの上死点における最下位のピストンリングのリング溝の下面位置から前記ピストンの下死点における最上位のピストンリングのリング溝の上面位置までの間の領域である行程中央部領域と、前記内壁面の前記ピストンが下死点における最上位のピストンリングのリング溝の上面位置から前記内壁面の下端までの間の領域である下方領域に画成され、前記行程中央部領域の表面粗さは、前記上方領域及び前記下方領域の表面粗さよりも大きい。【選択図】図２
2019078267.tif 000002
【特許請求の範囲】
【請求項１】
内壁面を摺動するようにピストンが上下動する内燃機関のシリンダであって、
前記内壁面は、前記内壁面の上端から前記ピストンが上死点における最下位のピストンリングのリング溝の下面位置までの間の領域である上方領域と、前記内壁面の前記ピストンの上死点における最下位のピストンリングのリング溝の下面位置から前記ピストンの下死点における最上位のピストンリングのリング溝の上面位置までの間の領域である行程中央部領域と、前記内壁面の前記ピストンが下死点における最上位のピストンリングのリング溝の上面位置から前記内壁面の下端までの間の領域である下方領域に画成され、
前記行程中央部領域の表面粗さは、前記上方領域及び前記下方領域の表面粗さよりも大きいことを特徴とする内燃機関のシリンダ。
【請求項２】
請求項１に記載の内燃機関のシリンダにおいて、
前記上方領域の表面粗さと前記下方領域の表面粗さは略等しいことを特徴とする内燃機関のシリンダ。
【請求項３】
請求項１に記載の内燃機関のシリンダにおいて、
前記下方領域の表面粗さは、前記上方領域の表面粗さよりも大きいことを特徴とする内燃機関のシリンダ。
【請求項４】
請求項１から３のいずれか１項に記載の内燃機関のシリンダにおいて、
前記行程中央部領域は、所定の粗さの谷部が複数形成され、前記谷部の間の凸部が台形形状のプラトー領域を備えることを特徴とする内燃機関のシリンダ。
【請求項５】
請求項４に記載の内燃機関のシリンダにおいて、
前記凸部の長さ率Ｐｍｒは、２０〜９５％であることを特徴とする内燃機関のシリンダ。
【請求項６】
請求項４又は５に記載の内燃機関のシリンダにおいて、
前記谷部と前記凸部の長さＲＳｍは、５０〜５００μｍであることを特徴とする内燃機関のシリンダ。
【請求項７】
請求項４から６のいずれか１項に記載の内燃機関のシリンダにおいて、
前記プラトー領域の突出山部高さＲｐｋは、２μｍ以下であることを特徴とする内燃機関のシリンダ。
【請求項８】
内壁面を摺動するようにピストンが上下動する内燃機関のシリンダの製造方法であって、
前記内壁面のうち、前記内壁面の上端から前記ピストンが上死点における最下位のピストンリングのリング溝の下面位置までの間の領域である上方領域と、前記内壁面の前記ピストンの上死点における最下位のピストンリングのリング溝の下面位置から前記ピストンの下死点における最上位のピストンリングのリング溝の上面位置までの間の領域である行程中央部領域と、前記内壁面の前記ピストンが下死点における最上位のピストンリングのリング溝の上面位置から前記内壁面の下端までの間の領域である下方領域に画成し、
前記行程中央部領域の表面粗さを前記上方領域及び前記下方領域の表面粗さよりも大きく加工する加工工程を備えることを特徴とする内燃機関のシリンダの製造方法。
【請求項９】
請求項８に記載の内燃機関のシリンダの製造方法において、
前記加工工程は、ホーニング加工によって加工されることを特徴とする内燃機関のシリンダの製造方法。
【請求項１０】
請求項８又は９に記載の内燃機関のシリンダの製造方法において、
前記加工工程は、前記行程中央部領域を粗い砥石でホーニングする第一の加工工程と、前記第一の加工工程の後に細かい砥石で前記行程中央部領域を含む前記内壁面をホーニングする第二の加工工程を備えることを特徴とする内燃機関のシリンダの製造方法。
【請求項１１】
請求項８から１０のいずれか１項に記載の内燃機関のシリンダの製造方法において、
前記加工工程は、プラトー加工工程を備えることを特徴とする内燃機関のシリンダの製造方法。
【発明の詳細な説明】
【技術分野】
【０００１】
本発明は、内燃機関のシリンダおよび、内燃機関のシリンダの製造方法に関する。
【背景技術】
【０００２】
従来、潤滑油の消費量の低減および、ピストンリング及びシリンダの間の焼き付きを防止する手段として種々の手段が知られている。
【０００３】
特許文献１に記載されているように、内燃機関のシリンダの内壁面の表面粗さが、ピストンの上死点から下死点に向かって粗くなるように形成された内燃機関のシリンダが知られている。
【０００４】
このように構成された内燃機関のシリンダは、内燃機関のシリンダのボアの内壁面の表面粗さをピストンの上死点側から下死点側に向かって粗くなるように形成したので、シリンダのボアの内壁面のうち表面粗さが比較的粗く潤滑油を比較的多く保持するピストンの下死点側ではピストンリングにその潤滑油が供給され、シリンダのボアの内壁面のうち表面粗さが比較的滑らかで潤滑油を殆ど保持しないピストンリングの上死点側ではピストンリングに供給された潤滑油により潤滑され、ピストンリングはボアの内壁面全体にわたってスムーズに摺動する。この結果、ピストンリングが摺動するボアの内壁面に供給される潤滑油の消費量を低減でき、かつピストンリング及びボアの内壁面間に焼き付きが発生することがない。
【先行技術文献】
【特許文献】
【０００５】
【特許文献１】特開平８−２００１４５号公報
【発明の概要】
【発明が解決しようとする課題】
【０００６】
しかし、近年の内燃機関においては、燃費性能の向上やオイル消費量の低減を目的として、シリンダとピストンリングとの接触面積を低減して両者の摩擦を極小化することが行われており、この接触面積の低減方法としては、ピストンリングのリング幅の縮小を図ったり、シリンダライナの内壁面の所定の位置に凹部を設けて接触面積の低減を図っている。
【０００７】
しかし、このような接触面積を低減させたピストンリングとシリンダを用いた内燃機関は、ピストンリングとシリンダの間の摩擦平均有効圧を低減させるために、シリンダの内壁面に複数の凹部形状を形成する必要があり、かつ、このような凹部形状は幾何学的な模様を規則的に配置されるように形成する必要があり、その加工は複雑で容易に加工できるものではないという問題を有していた。
【０００８】
そこで、本発明は上記問題に鑑みてなされたものであり、複雑な加工を行うことなく摩擦平均有効圧を低減させることが可能な内燃機関のシリンダ及びそのような内燃機関のシリンダの製造方法を提供することを目的とする。
【課題を解決するための手段】
【０００９】
本発明に係る内燃機関のシリンダは、内壁面を摺動するようにピストンが上下動する内燃機関のシリンダであって、前記内壁面は、前記内壁面の上端から前記ピストンが上死点における最下位のピストンリングのリング溝の下面位置までの間の領域である上方領域と、前記内壁面の前記ピストンの上死点における最下位のピストンリングのリング溝の下面位置から前記ピストンの下死点における最上位のピストンリングのリング溝の上面位置までの間の領域である行程中央部領域と、前記内壁面の前記ピストンが下死点における最上位のピストンリングのリング溝の上面位置から前記内壁面の下端までの間の領域である下方領域に画成され、前記行程中央部領域の表面粗さは、前記上方領域及び前記下方領域の表面粗さよりも大きいことを特徴とする。
【００１０】
また、本発明に係る内燃機関のシリンダにおいて、前記上方領域の表面粗さと前記下方領域の表面粗さは略等しいと好適である。
【００１１】
また、本発明に係る内燃機関のシリンダにおいて、前記下方領域の表面粗さは、前記上方領域の表面粗さよりも大きいと好適である。
【００１２】
また、本発明に係る内燃機関のシリンダにおいて、前記行程中央部領域は、所定の粗さの谷部が複数形成され、前記谷部の間の凸部が台形形状のプラトー領域を備えると好適である。
【００１３】
また、本発明に係る内燃機関のシリンダにおいて、前記凸部の長さ率Ｐｍｒは、２０〜９５％であると好適である。
【００１４】
また、本発明に係る内燃機関のシリンダにおいて、前記谷部と前記凸部の長さＲＳｍは、５０〜５００μｍであると好適である。
【００１５】
また、本発明に係る内燃機関のシリンダにおいて、前記プラトー領域の突出山部高さＲｐｋは、２μｍ以下であると好適である。
【００１６】
また、本発明に係る内燃機関のシリンダの製造方法は、内壁面を摺動するようにピストンが上下動する内燃機関のシリンダの製造方法であって、前記内壁面のうち、前記内壁面の上端から前記ピストンが上死点における最下位のピストンリングのリング溝の下面位置までの間の領域である上方領域と、前記内壁面の前記ピストンの上死点における最下位のピストンリングのリング溝の下面位置から前記ピストンの下死点における最上位のピストンリングのリング溝の上面位置までの間の領域である行程中央部領域と、前記内壁面の前記ピストンが下死点における最上位のピストンリングのリング溝の上面位置から前記内壁面の下端までの間の領域である下方領域に画成し、前記行程中央部領域の表面粗さを前記上方領域及び前記下方領域の表面粗さよりも大きく加工する加工工程を備えることを特徴とする。
【００１７】
また、本発明に係る内燃機関のシリンダの製造方法において、前記加工工程は、ホーニング加工によって加工されると好適である。
【００１８】
また、本発明に係る内燃機関のシリンダの製造方法において、前記加工工程は、前記行程中央部領域を粗い砥石でホーニングする第一の加工工程と、前記第一の加工工程の後に細かい砥石で前記行程中央部領域を含む前記内壁面をホーニングする第二の加工工程を備えると好適である。
【００１９】
また、本発明に係る内燃機関のシリンダの製造方法において、前記加工工程は、プラトー加工工程を備えると好適である。
【発明の効果】
【００２０】
本発明に係る内燃機関のシリンダおよびこのような内燃機関のシリンダの製造方法は、シリンダの内壁面のうち、行程中央部領域の表面粗さが上方領域及び下方領域の表面粗さよりも大きいので、シリンダ内壁面に複雑な加工を施すことなく、ピストンの上下動に伴うピストンリングとシリンダ内壁面との摩擦平均有効圧を低減することができる。
【図面の簡単な説明】
【００２１】
【図１】本発明の実施形態に係る内燃機関のシリンダを説明するための断面図。
【図２】本発明の実施形態に係る内燃機関のシリンダの製造方法における第一の加工工程を説明するための拡大図。
【図３】本発明の実施形態に係る内燃機関のシリンダの製造方法における第二の加工工程を説明するための拡大図。
【図４】本実施形態に係る内燃機関のシリンダの変形例における行程中央部領域の拡大図。
【図５】本発明の実施例において、摩擦平均有効圧を測定するために用いられた単体評価装置の構成を示す概略断面図。
【図６】本実施形態に係る内燃機関のシリンダの摩擦平均有効圧比を示す試験結果。
【発明を実施するための形態】
【００２２】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００２３】
図１は、本発明の実施形態に係る内燃機関のシリンダを説明するための断面図であり、図２は、本発明の実施形態に係る内燃機関のシリンダの製造方法における第一の加工工程を説明するための拡大図であり、図３は、本発明の実施形態に係る内燃機関のシリンダの製造方法における第二の加工工程を説明するための拡大図であり、図４は、本実施形態に係る内燃機関のシリンダの変形例における行程中央部領域の拡大図であり、図５は、本発明の実施例において、摩擦平均有効圧を測定するために用いられた単体評価装置の構成を示す概略断面図であり、図６は、本実施形態に係る内燃機関のシリンダの摩擦平均有効圧比を示す試験結果である。
【００２４】
図１に示すように、本実施形態に係る内燃機関のシリンダは、内燃機関のシリンダブロックに形成された複数の孔に圧入されるシリンダライナ１０として構成されている。シリンダライナ１０が圧入される複数の孔の数は、内燃機関の気筒数に応じて適宜設定される。シリンダライナ１０は、円筒状に形成されており、内壁面１１は内燃機関のピストン（図示せず）に組み付けられたピストンリングが上下動して摺動する。
【００２５】
シリンダライナ１０は、従来周知の材料を適宜用いることができるが、例えば鋳鉄が好適に用いられ、その他、アルミニウム合金や鋼などを用いて構成しても構わない。
【００２６】
ピストンには複数のピストンリングが組み付けられており、上死点側から、例えば、トップリング、セカンドリング、オイルリングなどが組み付けられている。ピストンリングは、ピストンの外周面に形成されたピストンリング溝に組み付けられている。
【００２７】
シリンダライナ１０の内壁面１１は、内壁面１１の上端からピストンが上死点の位置にある場合における最下位（最も下死点側）のピストンリング溝の下面位置までの間の領域である上方領域２１と、ピストンが上死点の位置にある場合における最下位のピストンリング溝の下面位置からピストンが下死点の位置にある場合における最上位（最も上死点側）のピストンリング溝の上面位置までの間の領域である行程中央部領域２２と、ピストンが下死点の位置にある場合における最上位のピストンリング溝の上面位置から内壁面１１の下端までの間の領域である下方領域２３に画成されている。
【００２８】
ここで、図２または３に示すように、行程中央部領域２２の表面粗さは、上方領域２１及び下方領域２３の表面粗さよりも大きく（粗く）形成されている。このように、行程中央部領域２２の表面粗さを上方領域２１及び下方領域２３よりも大きく形成しているので、行程中央部領域２２でのピストンリングとの摩擦平均有効圧を下げることができ、特に高回転域での摩擦平均有効圧を低減させることで、燃費の向上を実現している。
【００２９】
また、表面粗さは、種々の方法で計測することが可能であり、本実施形態に係る内燃機関のシリンダは、例えば粗さ曲線要素の平均長さＲＳｍ（ＪＩＳ  Ｂ０６０１：２０１３）や突出山部高さＲｐｋ（ＪＩＳ  Ｂ０６７１−２：２００２）を用いて表面粗さを仕上げることができる。また、複数のパラメータを適宜組み合わせて上方領域２１、行程中央部領域２２及び下方領域２３の表面粗さの大きさを定義しても構わない。
【００３０】
なお、本実施形態に係る内燃機関のシリンダは、上述したように、シリンダブロックに形成した複数の孔に圧入されるシリンダライナ１０を用いた場合について説明を行ったが、シリンダブロックの内壁面に直接上方領域２１、行程中央部領域２２及び下方領域２３を形成しても構わない。
【００３１】
次に、図２及び３を参照して本実施形態に係る内燃機関のシリンダの製造方法について説明を行う。第一に所定の内径を有する円筒状のシリンダライナ１０を準備し、内壁面１１を上方領域２１及び下方領域２３の表面粗さよりも大きい表面粗さとなるように行程中央部領域２２の表面粗さを加工する加工工程を行う。加工工程は、ホーニング加工で内壁面１１に粗さの異なる表面を形成する。
【００３２】
具体的には、内壁面１１全体を上方領域２１及び下方領域２３の粗さとなるようにホーニング加工を行う下処理工程を行う。次に、図２に示すように、下処理工程後に行程中央部領域を下処理工程で行った表面粗さよりも大きい表面粗さとなるように、粗い砥石を用いて加工を行う第一の加工工程を行う。その後、図３に示すように少なくとも行程中央部領域２２を細かい砥石でホーニング加工する第二の加工工程を行うことで、後処理を行う。
【００３３】
このとき、下方領域２３の表面粗さが上方領域２１の表面粗さよりも大きくなるように第二の加工工程で用いる砥石の粗さを適宜選択することで、上方領域２１、行程中央部領域２２、下方領域２３のそれぞれの表面粗さを加工するように構成しても構わない。また、下方領域２３のみをホーニング加工する工程を別途設けても構わない。
【００３４】
このように構成された本実施形態に係る内燃機関のシリンダは、従来のシリンダライナと比較して高回転領域での摩擦平均有効圧が低減していることが確認できた。これは、シリンダが用いられる装置のエネルギー効率を向上させる、例えば、エンジンの燃費を向上させるためには、ピストンリングと、シリンダの内壁面との摩擦平均有効圧低減が有効であるところ、摩擦損失の低減方法は摺動条件によって異なるが、本実施形態に係る内燃機関のシリンダにおいては、その内壁面１１の行程中央部領域２２の表面粗さを上方領域２１及び下方領域２３の表面粗さよりも大きくしているために、行程中央部領域２２において流体潤滑領域における潤滑油のせん断抵抗を減らすことにより摩擦平均有効圧を低減することが可能となっている。
【００３５】
すなわち、ピストンの移動速度が比較的小さい上死点付近および下死点付近では、シリンダライナの内壁面の表面粗さを小さくすることにより、摩擦平均有効圧の低減を図ることができる。しかしながら、シリンダライナの内壁面と、ピストンリングとの摺動速度が大きい領域である行程中央部領域２２では、潤滑油のせん断抵抗の影響が大きくなる。
【００３６】
さらに、本実施形態に係る内燃機関のシリンダは、内壁面１１のホーニング加工のみで内壁面１１の表面の加工を行うことができるので複雑な加工を行うことなく、摩擦平均有効圧を低減できる内燃機関のシリンダを提供することが可能となる。
【００３７】
また、上述した内壁面１１のホーニング加工による行程中央部領域２２の表面粗さの他に、図４に示すように、行程中央部領域２２にホーニング加工やレーザ加工などを用いて粗さの異なる表面を形成しても構わない。
【００３８】
図４に示すように、行程中央部領域２２は、所定の粗さの谷部が複数形成され、谷部と谷部の間の凸部が台形形状に形成された所謂プラトー領域を備えている。プラトー領域は、行程中央部領域２２内面の凸部をプラトー化（台形形状）して平滑化し、実働時のピストン、ピストンリングの挙動を安定化させるものである。ここで、行程中央部領域２２は、複数の谷部とプラトー領域とから構成されており、プラトー領域の突出山部高さＲｐｋは２μｍ以下、凸部の長さ率（断面曲線の相対負荷長さ率）Ｐｍｒは、２０〜９５％、谷部と凸部の長さ（粗さ曲線要素の平均長さ）ＲＳｍが５０〜５００μｍに形成されると好適である。
【実施例】
【００３９】
次に、実施例と比較例を参照して、本発明についてさらに詳しく説明を行う。
【００４０】
以下の試験片ピストンリングと実施例及び比較例のシリンダライナを用いて摩擦平均有効圧（ＦＭＥＰ）の測定を行った。摩擦平均有効圧の測定は、図５に示す単体評価装置を用いて測定を行い、ピストンリングとして、トップリング、セカンドリング及びオイルリングの３種類を同時にピストンに組み付けて測定を行った。また、摩擦平均有効圧の測定時の回転数は１００〜１０００ＲＰＭ、供試オイルは、ＳＡＥ粘度１０Ｗ−３０ものを用い、ピストンリング周辺のオイル温度を６０℃として測定を行った。
【００４１】
試験片ピストンリングは、以下の構成のピストンリングを用いた。
○トップリングは、軸方向高さｈ１：２．５ｍｍ、径方向長さａ１：３．１５ｍｍ、張力Ｆｔ：１６．７Ｎ、外周面形状はバレルフェイス形状でＰＶＤ処理を施したものを用いた。
○セカンドリングは、軸方向高さｈ１：２．０ｍｍ、径方向長さａ１：３．１ｍｍ、張力Ｆｔ：１２．３Ｎ、外周面形状はテーパ形状でガス窒化処理を施したものを用いた。
○オイルリングは、２ピース型オイルリングであって、軸方向幅：３．０ｍｍ、径方向幅：３．０ｍｍ、張力Ｆｔ：２２．６Ｎ、外周面形状はステップランド形状でＰＶＤ処理を施したものを用いた。
【００４２】
実施例１〜３及び参考例のシリンダライナは、材質はＦＣ２５０、シリンダライナ内径Φ８６であって、上方領域及び下方領域の表面粗さ：１．０μｍＲ３Ｚ、行程中央部領域の表面粗さは、ＲＳｍを５０〜６００μｍ、Ｐｍｒを２０〜８０％に調整したものを用いた。また、比較例のシリンダライナは、上方領域から下方領域までの表面粗さ：１．０μｍＲ３Ｚのものを用いた。なお、実施例、比較例及び参考例の測定に用いたピストンリングは、全て上述した試験片ピストンリングをピストンに組み付けて測定を行った。
【００４３】
測定条件は、表面粗さ形状測定機を用い触針先端半径：２μｍ、評価長さ：１０ｍｍ、測定速度：０．３ｍｍ／ｓｅｃで測定を行い、凸部の長さ率（断面曲線の相対負荷長さ率）Ｐｍｒの計算条件は、傾斜補正は両端補正とし、プラトー領域で行い、切断レベルにはμｍ法を用いた。また、切断レベルは上方領域及び下方領域の表面粗さＲ３Ｚと同等の値とし、例えば、上方領域及び下方領域が１．０μｍＲ３Ｚの場合は、切断レベルを１．０μｍとして算出した。さらに、谷部と凸部の長さ（粗さ曲線要素の平均長さ）ＲＳｍの計算条件は、ＪＩＳ  Ｂ−０６０１：２０１３に準じ、最小高さの閾値は、Ｒｚの１０％とし、最小長さは基準長さの１％とした。それよりも高さ又は長さが小さいものは独立した山谷としてみなさないものとした。
【００４４】
また、実施例１は、ＲＳｍを５０μｍ、実施例２は、ＲＳｍを１５０μｍ、実施例３は、ＲＳｍを５００μｍに設定し、参考例はＲＳｍを６００μｍに設定した。
【００４５】
図６に示すように、実施例１〜３のシリンダライナは、Ｐｍｒを８０％、５０％及び２０％に設定した場合であっても比較例のシリンダライナ（ＳＴＤ）をゼロとすると摩擦平均有効圧比が大幅に向上していることが確認できた。これは、エンジンの燃費を向上させるためには、ピストンリングと、シリンダの内壁面との摩擦平均有効圧低減が有効であるところ、摩擦損失の低減方法は摺動条件によって異なるが、実施例のシリンダにおいては、その内壁面１１の行程中央部領域２２の表面粗さを上方領域２１及び下方領域２３の表面粗さよりも大きくしているために、行程中央部領域２２において流体潤滑領域における潤滑油のせん断抵抗を減らすことにより摩擦平均有効圧を低減できることが確認できた。
【００４６】
すなわち、ピストンの移動速度が比較的小さい上死点付近および下死点付近では、シリンダライナの内壁面の表面粗さを小さくすることにより、摩擦平均有効圧の低減を図ることができるが、シリンダライナの内壁面と、ピストンリングとの摺動速度が大きい領域である行程中央部領域２２では、潤滑油のせん断抵抗の影響が大きくなることがわかる。
【００４７】
しかし、参考例に示すように、ＲＳｍが６００μｍ、Ｐｍｒが２０％のシリンダライナを用いた場合は、従来よりも摩擦平均有効圧比が悪くなることが確認された。
【００４８】
なお、上述した本実施形態に係る内燃機関のシリンダは、トップリング、セカンドリング及びオイルリングを組み込んだピストンに適用した場合について説明を行ったが、ピストンリングの構成はこれらに限らず、従来周知の種々のピストンリングに適用しても構わない。その様な変更又は改良を加えた形態も本発明の技術的範囲に含まれうることが、特許請求の範囲の記載から明らかである。
【符号の説明】
【００４９】
１０  シリンダライナ，    １１  内壁面，    ２１  上方領域，    ２２  行程中央部領域，    ２３  下方領域。
【図１】
2019078267.tif 000003
【図２】
2019078267.tif 000004
【図３】
2019078267.tif 000005
【図４】
2019078267.tif 000006
【図５】
2019078267.tif 000007
【図６】
2019078267.tif 000008